(57)【要約】光伝送システムは第一と第二光インターフェースによる光伝送端末を有する。第一インターフェースは業界標準のネットワーク水準プロトコールに従い通信するように配置する。第二インターフェースは第一光層トランスポートプロトコールに従って通信するように配置する。光伝送スパンは第一光層トランスポートプロトコールに従って光伝送端末の第二インターフェースと通信する第三インターフェースと第二光層トランスポートプロトコールに従って通信するように配置した第四インターフェースを有する光インターフェース装置を含む。光伝送装置は又第一及び第二光層トランスポートプロトコール間の光信号変換用信号処理装置を有する。光伝送スパンは又光インターフェース装置の第四光インターフェースと光結合した光送信路を有し第二光層トランスポートプロトコールに従い光信号を伝送する。
2005536953.tif 000002
【特許請求の範囲】
【請求項１】
第一及び第二光インターフェースによる光伝送端末を有する光伝送システムにおいて、この第一インターフェースを業界標準のネットワーク水準プロトコールに従い通信するように配置し、この第二インターフェースを第一光層トランスポートプロトーコールに従い通信するように配置するシステムで、光伝送スパンが
光インターフェース装置を含み、この装置が
第一光層トランスポートプロトコールに従い光伝送端末の第二インターフェースと通信する第三インターフェースと
第二光層トランスポートプロトコールに従い通信するように配置した第四インターフェースと
第一及び第二光層トランスポートプロトコール間の光信号変換用信号処理装置からなり、
光伝送路がこの第二光層トランスポートプロトコールに従い光信号伝送用光インターフェース装置の第四光インターフェースと光結合を有すること
を含むシステム。
【請求項２】
請求項１の光伝送システムで第三及び第四インターフェースが双方向インターフェースである光伝送スパン。
【請求項３】
請求項１の光伝送システムで業界標準のネットワーク水準プロトコールがＳＯＮＥＴ／ＳＤＨである光伝送スパン。
【請求項４】
請求項１の光伝送システムで業界標準のネットワーク水準プロトコールがＡＴＭである光伝送スパン。
【請求項５】
請求項１の光伝送システムで業界標準のネットワーク水準プロトコールがギガビットイーサネットである光伝送スパン。
【請求項６】
請求項１の光伝送システムで第二光層トランスポートプロトコールが波長分割多重化を含む光伝送スパン。
【請求項７】
請求項１の光伝送システムで第二光層トランスポートプロトコールが利得等化、バルク分散補償、光利得、ラマン増幅、分散スロープ補償、ＰＭＤ補償及び動作特性の監視グループの一群から選んだ少なくとも１個の信号処理を支持する光伝送スパン。
【請求項８】
請求項６の光伝送システムで第二光層トランスポートプロトコールが利得等化、バルク分散補償、光利得、ラマン増幅、分散スロープ補償、ＰＭＤ補償及び動作特性の監視グループの一群から選んだ少なくとも１個の信号処理を支持する光伝送スパン。
【請求項９】
請求項１の光伝送システムで光伝送路が海中光伝送路である光伝送スパン。
【請求項１０】
請求項９の光伝送システムで第二光層トランスポートプロトコールを海中光伝送路用に配置した光伝送スパン。
【請求項１１】
請求項１の光伝送システムで信号処理装置が利得等化、バルク分散補償、光利得、ラマン増幅、分散スロープ補償、ＰＭＤ補償、疑似チャネル挿入及び動作特性の監視の一群から選んだ光信号を少なくとも１回処理する光伝送スパン。
【請求項１２】
光信号伝送法でその方法が
第一光層トランスポートプロトコールに従い第一及び第二光インターフェースを有する光伝送端末から光信号を受信し、この第一インターフェースが業界標準のネットワーク水準プロトコールに従い通信するように配置し、この第二インターフェスが第一光層トランスポートプロトコールに従い通信するように配置し
第二光層トランスポートプロトコールと適合するよう光信号を変換し、
第二光層トランスポートプロトコールに従い光伝送路を通して変換光信号を送る手順からなる方法。
【請求項１３】
光伝送路が双方向型伝送路である請求項１２の方法。
【請求項１４】
業界標準のネットワーク水準プロトコールがＳＯＮＥＴ／ＳＤＨである請求項１２の方法。
【請求項１５】
業界標準のネットワーク水準プロトコールがＡＴＭである請求項１２の方法。
【請求項１６】
業界標準のネットワーク水準プロトコールがギガビットイーサネットである請求項１２の方法。
【請求項１７】
第二光層トランスポートプロトコールが波長分割多重化を含む請求項１２の方法。
【請求項１８】
第二光層トランスポートプロトコールが利得等化、バルク分散補償、光利得、ラマン増幅、分散スロープ補償、ＰＭＤ補償及び動作特性の監視の一群から選んだ少なくとも１個の信号処理を支持する請求項１２の方法。
【請求項１９】
第二光層トランスポートプロトコールが利得等化、バルク分散補償、光利得、ラマン増幅、分散スロープ補償、ＰＭＤ補償及び動作特性の監視の一群から選んだ少なくとも１個の信号処理を支持する請求項１７の方法。
【請求項２０】
光伝送路が海中光伝送路である請求項１２の方法。
【請求項２１】
第二光層トランスポートプロトコールが海中光伝送路用に配置した請求項２０の方法。
【請求項２２】
信号処理装置が利得等化、バルク分散補償、光利得、ラマン増幅、分散スロープ補償、ＰＭＤ補償及び動作特性の監視の一群から選んだ光信号を少なくとも１回処理する請求項１２の方法。
【請求項２３】
第一及び第二光インターフェースによる光伝送端末を有する光伝送システム用光インターフェース装置で、この第一インターフェースが業界標準のネットワーク水準プロトコールに従い通信するように配置し、この第二インターフェースが第一光層トランスポートプロトコールに従い通信するように配置し、この光インターフェース装置が
第一光層トランスポートプロトコールに従い光伝送端末の第二インターフェースと通信する第三インターフェースと
第二光層トランスポートプロトコールに従い通信するように配置した第四インターフェースと
第一及び第二光層トランスポートプロトコール間の光信号変換用信号処理装置
からなり、
光伝送路がこの第二光層トランスポートプロトコールに従い光信号伝送用光インターフェース装置の第四光インターフェースと光結合している装置。
【請求項２４】
第三及び第四インターフェースが双方向型インターフェースである請求項２３の光インターフェース装置。
【請求項２５】
業界標準のネットワーク水準プロトコールがＳＯＮＥＴ／ＳＤＨである請求項２３の光インターフェース装置。
【請求項２６】
業界標準のネットワーク水準プロトコールがＡＴＭである請求項２３の光インターフェース装置。
【請求項２７】
業界標準のネットワーク水準プロトコールがギガビットイーサネットである請求項２３の光インターフェース装置。
【請求項２８】
第二光層トランスポートプロトコールが波長分割多重化を含む請求項２３の光インターフェース装置。
【請求項２９】
第二光層トランスポートプロトコールが利得等化、バルク分散補償、光利得、ラマン増幅、分散スロープ補償、ＰＭＤ補償、疑似チャネル挿入及び動作特性の監視の一群から選んだ少なくとも１回の信号処理を支持する請求項２３の光インターフェース装置。
【請求項３０】
第二光層トランスポートプロトコールが利得等化、バルク分散補償、光利得、ラマン増幅、分散スロープ補償、ＰＭＤ補償及び動作特性の監視の一群から選んだ少なくとも１回の信号処理を支持する請求項２８の光インターフェース装置。
【請求項３１】
光伝送路が海中光伝送路である請求項２３の光インターフェース装置。
【請求項３２】
第二光層トランスポートプロトコールが海中光伝送路用に配置した請求項３１の光インターフェース装置。
【請求項３３】
信号処理装置が利得等化、バルク分散補償、光利得、ラマン増幅、分散スロープ補償、ＰＭＤ補償、疑似チャネル挿入及び動作特性の監視の一群から選んだ光信号を少なくとも１回処理する請求項２３の光インターフェース装置。  
【請求項３４】
光インターフェース装置が
第一地上光層トランスポートプロトコールに従い光信号を受信する手段と、
第二光層トランスポートプロトコールと適合する光信号変換手段と、
第二光層トランスポートプロトコールに従い光伝送路により変換光信号を送る手
段
からなる装置。
【発明の詳細な説明】
【技術分野】
【０００１】
本出願は“端末非依存インターフェース”（“Ｔｅｒｍｉｎａｌ Ｉｎｄｅｐｅｎｄｅｎｔ Ｉｎｔｅｒｆａｃｅ”）と題して２００２年８月２０日に出願した米国仮特許出願番号６０／４０４６１５（Ｕ．Ｓ．  Ｐｒｏｖｉｓｉｏｎａｌ  Ｐａｔｅｎｔ  Ａｐｐｌｉｃａｔｉｏｎ  ＮＯ．  ６０／４０４，６１５）に対し優先権を請求する。
【０００２】
本出願はまた、“地上光端末と海中光伝送路間に設置した端末非依存インターフェースを監視するシステムの方法と装置”（Ｍｅｔｈｏｄ  ａｎｄ  Ａｐｐａｒａｔｕｓ  ｆｏｒ Ｐｅｒｆｏｒｍｉｎｇ  Ｓｙｓｔｅｍ  Ｍｏｎｉｔｏｒｉｎｇ  ｉｎ  Ａ  Ｔｅｒｍｉｎａｌ  Ｉｎｄｅｐｅｎｄｅｎｔ  Ｉｎｔｅｒｆａｃｅ  Ｌｏｃａｔｅｄ  ｂｅｔｗｅｅｎ  Ａ  Ｔｅｒｒｅｓｔｒｉａｌ  Ｏｐｔｉｃａｌ  Ｔｅｒｍｉｎａｌ  ａｎｄ ａｎ  Ｕｎｄｅｒｓｅａ  Ｏｐｔｉｃａｌ  Ｔｒａｎｓｍｉｓｓｉｏｎ  Ｐａｔｈ”と題して同日に出願した未決の米国特許出願番号１０／６２１１１５（Ｕ．Ｓ．  Ｐａｔｅｎｔ  Ａｐｐｌｉｃａｔｉｏｎ  ＮＯ．  １０／６２１，１１５）と関連する。
【０００３】
本発明は一般に光伝送システムに関し、より正確には地上光端末と海中光伝送路間の通信用光インターフェースに関する。
【背景技術】
【０００４】
高速基幹通信網に使われている地上光伝送ネットワークは今まで異なる業者による光伝送装置間の相互接続のために確立されたインターフェースであるＳＯＮＥＴ／ＳＤＨ標準を使用してきた。図３に示すように種々の業者供与による光端末はＳＯＮＥＴ／ＳＤＨに対応する顧客インターフェースをもちいて相互通信が可能である。このような端末はまた、一般に所有者固有のインターフェースをもちいてＳＯＮＥＴ／ＳＤＨの制限を受けることなく一定の業者と自身の光端末とを相互接続できる。所有者固有のインターフェースはこの業者に固有で且つシステム長さや容量のようなパラメーターに依存する光層トランスポートプロトコールを通じて通信する。
【０００５】
高度に特殊化した光伝送ネットワークの一形態は光ファイバーを備えたケーブルを海底に設置した海中又は海底光伝送システムである。このような光伝送システム設計は通常システムごとにカスタム仕様であり海中光伝送路によるデータ送信用に非常に特殊化した端末を使用する。特殊化端末は少量生産なので地上光層プロトコールの通信用に設計した地上光伝送ネットワーク用に典型的に比較的大量生産される光端末にくらべ比較的高価である。
【０００６】
地上端末は地上光層トランスポートプロトコールが課せる種々な制限のため通常海中伝送路を用いない。これらの制限としては地上光層プロトコールが維持するスパンやリンクが比較的短いこと、ＷＤＭトラフィックよりむしろＴＤＭトラフィックに最適であること、ネットワーク管理法が伝送路上の装置への容易なアクセスを仮定すること、ＴＤＭ技術に基づく従来の音声トラフィック以外は効果的なトラフィック管理機能に欠けること、保護回線供与用帯域の非効率な使用及び広帯域光ネットワークの管理及び維持でのその他の固有な限界がある。
【０００７】
従ってコスト低減には海中伝送システムに容易に利用できる地上光端末の使用が好ましいが、地上光端末では一般に海中伝送システムに必要な光層機能性は得られない。
【発明の開示】
【発明が解決しようとする課題】
【０００８】
本発明に従うと光伝送システムに組み込まれる伝送スパンが得らる。この光伝送システムは第一及び第二光インターフェースによる光伝送端末を有する。第一インターフェースは業界標準のネットワーク水準プロトコールに従って通信するように配置する。第二インターフェースは第一光層トランスポートプロトコールに従って送信するように配置する。光伝送スパンは第一光層トランスポートプロトコールに従って光伝送端末の第二インターフェースと送信する第三インターフェースと第二光層トランスポートプロトコールに従って送信するように配置した第四インターフェースを有する光インターフェース装置を含む。光インターフェース装置は又第一及び第二光層トランスポートプロトコール間で光信号を変換する信号処理装置を有する。光伝送スパンはまた、第二光層トランスポートプロトコールに従って光信号伝送用光インターフェース装置の第四光インターフェースと光結合した光伝送路を有する。
【０００９】
本発明の一様態に従うと第三及び第四インターフェースは双方向型インターフェースである。
【００１０】
本発明の他の様態に従うと業界標準のネットワーク水準プロトコールはＳＯＮＥＴ／ＳＤＨである。
【００１１】
本発明の他の様態に従うと業界標準のネットワーク水準プロトコールはＡＴＭである。
【００１２】
本発明の他の様態に従うと業界標準のネットワーク水準プロトコールはギガビットイーサネットである。
【００１３】
本発明の他の様態に従うと第二光層トランスポートプロトコールは波長分割多重化を含む。
【００１４】
本発明の他の様態に従うと第二光層トランスポートプロトコールは利得等化、バルク分散補償,  光利得、ラマン増幅、分散スロープ補償、ＰＭＤ補償、及び動作監視の一群から選んだ少なくとも一つの信号処理を支持する。
【００１５】
本発明の他の様態に従うと光伝送路は海中光伝送路である。
【００１６】
本発明の他の様態に従った光信号伝送方法を提供する。この方法は第一光層トランスポートプロトコールに従い第一及び第二光インターフェースを有する光伝送端末から光信号を受信する事から始まる。第一インターフェースは業界標準の通信網水準プロトコールに従い送信するように配置する。第二インターフェースはこの第一光層トランスポートプロトコールに従って送信するように配置する。光信号は第二光層トランスポートプロトコールに適応するように変換しこの変換光信号は第二光層トランスポートプロトコールに従い光伝送路に送られる。
【発明の詳細な説明】
【００１７】
本発明者達は海中伝送システムには特殊化海中光端末をはしばしば必要としない事を知っていた。むしろ地上端末と海中伝送路間に適当なインターフェースを持たすことにより廉価で容易に利用できる地上光端末が利用できる。このインターフェースは多数の業者から入手できる地上光端末の所有者固有なインターフェースと海中伝送路間で高度な整合性が得られる。即ちインターフェースは端末を選ばないように設計し地上光層トランスポートプロトコールと海中光層トランスポートプロトコール間のインターフェースとして働く。現在利用でき本発明との組み合わせで使用できる地上光端末の例としては、これには限られないが  ノーテル  ＬＨ１６００及びＬＨ４０００，シーメンスＭＴＳ２、カシオ１５８０８及びシエナ  コアストリーム社長距離トランスポート製品がある。
【００１８】
本発明をより良く理解出来るようにネットワークプロトコールの概略を以下に紹介する。より詳細については例えばアール．ラマスワミ(Ｒ．  Ｒａｍａｓｗａｍｉ)、ケイ．シバラジャン（Ｋ．  Ｓｉｖａｒａｊａｎ）著、光ネットワーク：実用的展望（Ｏｐｔｉｃａｌ  Ｎｅｔｗｏｒｋｓ：  Ａ  Ｐｒａｃｔｉｃａｌ  Ｐｅｒｓｐｅｃｔｉｖｅ）第六章、アカデミックプレス社発行、１９９８年に見いだされ完全な形で文献としてここにリストする。
【００１９】
ネットワークプロトコール
ネットワークは殆ど普遍的に多層プロトコールを使用する。低レベルの物理層プロトコールは二装置間でのデータストリームの送受信を保証する。データパケットはデータリンク層内に構成する。物理層上において、ネットワーク層とトランスポート層プロトコールがネットワークのデータ送信を管理しそれにより両末端間で確実なデータ伝達を確実にする。
【００２０】
コンピューターと伝送ネットワークの発展により、種々なアプローチが通信媒体、ネットワークトポロジー、メッセージホーマット、チャネルアクセス用プロトコール等々の選択に使われた。これらのアプローチの内幾つかは業界標準になったが未だネットワーク通信用の単一標準は存在しない。しかしネットワーク構成用モデルは既に提案され広く認められている。これは国際標準化機構（ＩＳＯ）開放型システム間相互接続（ＯＳＩ）参照モデルとして知られている。ＯＳＩ参照モデルはそれ自身ネットワーク構成ではない。むしろそれはプロトコール層の階層を指定しネットワークでの各層の機能を定義する。ネットワークの一ノードでの各層が、通信が行われている他ノードの対応層とこの通信ルールを既定するプロトコールに従って通話を伝える。実際には情報は一ノード内で層から層へと転送され、チャネル媒体を通って、他ノードの連続層に戻る。しかし種々の層の設計目的とその機能を理解するには、各層が同じレベルで対応するもの同士で、即ち“水平”方向で通信すると考えたほうが理解しやすい。
【００２１】
ＯＳＩモデルが定義した最低層は物理層と呼ばれ生データビットの通信チャネルによる伝送に関するものである。物理層の設計は電気工学、機械工学或いは光工学問題を含み、通信チャネルに使用する媒体に依存する。物理層の次の層はデータリンク層と呼ばれる。データリンク層の主な仕事はチャネル媒体と直接インターフェースする物理層を通信リンクに変換しネットワーク層として知られる次の上の層にエラー無しで現れる事である。データリンク層はデータをパケットやフレームに組み込み、エラー検出用の検査合計やパケット数のような制御情報をパケットやフレームに帰属させるような機能を実施する。ネットワーク層はそのソースでメッセージを受け取り送り先に伝達するエンドツーエンド経路指示機能を実施する。ネットワーク層の上はトランスポート層、セッション層、プレゼンテーション層及びアプリケーション層である。
【００２２】
ＳＯＮＥＴ／ＳＤＨ及び光層プロトコール
ＳＯＮＥＴ／ＳＤＨ標準は四層からなるネットワーク水準プロトコールへのインターフェースを提供する。これらの層は七層のＯＳＩモデルの組み合わせと派生物である。七層のＯＳＩモデルとＳＯＮＥＴ／ＳＤＨ間の大体の対応を図１に示す。パス層はノード間のエンドツーエンド接続の監視と追跡に対応する。ライン層は多数のパス層接続をノード間の単一リンクへ多重化する。各リンクはリジェネレーター間セグメントとの接続に対応する多数のセクションに分割される。物理層はファイバーを通して実際のビット伝送を遂行する。
【００２３】
国際電気通信連合（ＩＴＵ）は最近新しい層としてＯＳＩモデルにおける物理層に相当する光層を定義した。光層の種々の副層への分割はＩＴＵ推薦項Ｇ．６８１に記載されている。次に、図２に示したように光層は光チャネル層、光多層セッション及び光増幅セッションの三副層からなる。光層は光路のエンドツーエンドへの経路指示（即ち各リンクに単一波長使用のエンドツーエンド接続）を遂行する。光多重セッション層は光路ルートにそった二地点間接続を表すのに使用する。光増幅セッション層は光増幅器間の接続を制御する。
【００２４】
実際のネットワークでは上述プロトコールの二つ又はそれ以上を積み重ねた物を他の物の上に積み重ねる事が出来る。例えば図２に光層ネットワーク上にＳＯＮＥＴ／ＳＤＨを重ねた物を示す。この場合ＳＯＮＥＴ／ＳＤＨネットワークは光層ネットワークをその物理層と見なす。即ちＳＯＮＥＴ／ＳＤＨの物理層は光層で置き換わる。
【００２５】
図３は地上光ネットワークに典型的に使用するＳＯＮＥＴ／ＳＤＨネットワークでの在来のリンクを示す。このリンクは単一業者供与の２個のＳＯＮＥＴ／ＳＤＨ端末３００からなる。端末はＳＯＮＥＴ／ＳＤＨインターフェース３１０を有し顧客の機器と他の業者による伝送機器と相互接続する事が出来る。端末は又所有者固有のインターフェース３２０を有しある業者はＳＯＮＥＴ／ＳＤＨが課す制限と関係無しに自身の光端末と相互接続できる。所有者固有のインターフェースはこの業者固有の光層トランスポートプロトコールを通して通信する。図３の端末３００の直ぐ下に端末インターフェースの使用層を示す。ＳＯＮＥＴ／ＳＤＨインターフェース３１０を図２に示した光層ネットワーク上のＳＯＮＥＴ／ＳＤＨにより示す。
【００２６】
光インターフェース
本発明人達は海中送信システムでより安価な市販ＳＯＮＥＴ／ＳＤＨ端末が良く使用される特殊化端末に取って代わりうる事を知っていた。これは所有者固有のインターフェース側から見るとＳＯＮＥＴ／ＳＤＨ端末物理層を海中システムにより適した光層トランスポートプロトコールで置換する事である。ＳＯＮＥＴ／ＳＤＨ端末は拡張カードのようなインターフェースを備え海中通信路で使用する光層トランスポートプロトコールと通信できる。図４に発明性のあるネットワーク構成のブロック図を示す。
【００２７】
図４ではＳＯＮＥＴ／ＳＤＨ端末４００の所有者特有な光層インターフェース４２０が光層機能性を備えた海中光伝送路４００を通して通信する。光インターフェース装置４３０によりＳＯＮＥＴ／ＳＤＨ端末４００と海中光伝送路４４０を接続する。即ち海中光伝送路４４０はＳＯＮＥＴ／ＳＤＨ端末４００に対し通過可能で端末から見るとそれ自身の特有な接続により通信する。
【００２８】
光インターフェース装置４３０は光信号をＳＯＮＥＴ／ＳＤＨ端末４００の光層インターフェース４２０から受信する。インターフェース装置４３０はＳＯＮＥＴ／ＳＤＨ端末４００により供与されるのではないが、必ず海中伝送路４４０を通して光信号を伝送するように条件化する光層信号を供与する。与えられた信号の条件化は、以下に限定はされないが、利得等化、バルク分散補償,光利得、ラマン増幅、分散スロープ補償、偏波モード分散（ＰＭＤ）補償、及び動作監視、疑似チャネル挿入やこれらのいずれかの組み合わせを含む。前述の信号条件化プロセスは通常図２に示した光層トランスポートプロトコールの光増幅セッションで起こる。しかしより一般的には本発明は図２に示した１個又それ以上の光副層で信号条件化する光インターフェースまで含む。
【００２９】
図５は図４に示した発明性に富んだ光インターフェース装置５００の一実施形態のブロック図を示す。ＳＯＮＥＴ／ＳＤＨ端末から受信した光信号は光動作モニター５０２により光動作性能を監視し、パワーは偏波多重化器５０４により等化され、増幅器５０６により増幅され、分散補償ファイバーや格子ベース分散補償装置のような分散補償装置５０８を通過した後、光信号は直ちに海中光伝送路を横切る事が出来る。同様に海中光伝送路からインターフェース装置５００が受信した光信号は増幅器５１０により光増幅し、分散補償装置５１２を通り、多重化解除器５１４により多重性を光解除し、偏波モード分散（ＰＭＤ）補償器５１６を通り、光動作モニター５１８により動作性能を監視する。
【００３０】
光動作モニター５０２及び５１８により良好な信号品質が継続的に保証される。光動作モニターは光信号のＯＳＮＲ、Ｑ−ファクター又はＢＥＲを測定する事が出来る。操作ではタップやその他の装置が光信号の電気信号変換のために一部の光信号を光増幅器、フィルタ及び受信器に送る。加減決定閾値と位相を有する二重チャネルＣＤＲはデータ信号のエラー動作の決定に用いる。動作モニター５２０が決めた光動作性能情報は利得等化器５０４或いはＰＭＤ補償器５１６の制御用フィードバックとして使用する事が出来る。
【００３１】
ここに種々の実施形態を特定的に説明し記載したが、評価すべきは本発明の改善や変形は上述の教示に含まれ本発明の精神と意図範囲から逸脱しなければ付記請求項の範囲内である事である。例えば本発明はＳＯＮＥＴ／ＳＤＨ端末標準と整合する地上光端末用インターフェースに関して記載したが、本発明は例えばＡＴＭやギガビットイーサネットのような他の業界標準プロトコールと整合する地上光端末用インターフェースにも同等に利用できる。
【図面の簡単な説明】
【００３２】
【図１】ＯＳＩネットワーク階層の各種層とそのＳＯＮＥＴ／ＳＤＨとの対応性を示す。
【図２】光層ネットワーク上のＳＯＮＥＴ／ＳＤＨ層を示す。
【図３】地上光ネットワークに典型的に使用されるＳＯＮＥＴ／ＳＤＨネットワークの在来リンクを示す。
【図４】本発明に従って構築したネットワーク構成のブロック図を示す。
【図５】図４に示した発明性に富む光インターフェース装置の一実施形態のブロック図を示す。
【図１】
2005536953.tif 000003
【図２】
2005536953.tif 000004
【図３】
2005536953.tif 000005
【図４】
2005536953.tif 000006
【図５】
2005536953.tif 000007
【国際調査報告】
2005536953.tif 000008